(57)【要約】【課題】玄関、即ち屋外に設置されるインターホン子機にコーティング層を形成して防汚性を強化するとともに、インターホン子機表面に親水性をもたせてマイク、スピーカ格子の水の排水を容易にしてハウリングを防止する。【解決手段】住宅の玄関に設置されカメラ１１、子機マイク１２、子機スピーカ１３を有するインターホン子機１と、室内に設置され子機からの呼び出しに応答して通話を成立させるための親機マイク、スピーカ、カメラにて撮像された映像を出画するためのモニタを有するインターホン親機とを備え、子機は、表面にコーティング層４を有する外装部３が樹脂で構成され、コーティング層は、ペルオキソチタン酸水溶液及びペルオキソチタン改質アナターゼゾルから選ばれた１種以上を外装部の表面に成膜し、乾燥させて成る。【選択図】図２
2008211347.tif 000002
【特許請求の範囲】
【請求項１】
住宅の玄関に設置されカメラ（１１）、子機マイク（１２）及び子機スピーカ（１３）を有するインターホン子機（１）と、前記住宅の室内に設置され前記インターホン子機からの呼び出しに応答して通話を成立させるための親機マイク（２２）および親機スピーカ（２３）、前記カメラにて撮像された映像を出画するためのモニタ（２１）を有するインターホン親機（２）とを備え、
前記インターホン子機は、表面にコーティング層（４）を有する外装部（３）が樹脂で構成され、
前記コーティング層は、ペルオキソチタン酸水溶液及びペルオキソチタン改質アナターゼゾルから選ばれた１種以上を前記外装部の表面に成膜し、乾燥させて成ることを特徴とするインターホン装置。
【請求項２】
前記コーティング層は、粉末二酸化チタン及び／又は二酸化チタンゾルを含有することを特徴とする請求項１記載のインターホン装置。
【請求項３】
前記コーティング層は、ペルオキソチタン酸水溶液、ペルオキソチタン改質アナターゼゾルとともにシリカ等の保水性物質を混合することを特徴とする請求項１記載のインターホン装置。
【請求項４】
前記外装部の一部を透明または半透明の樹脂により構成して前記カメラを覆うためのカメラカバー（１０）として機能させることを特徴とする請求項１乃至請求項３何れか１項記載のインターホン装置。
【請求項５】
前記外装部は、前記子機スピーカから音声を放音させるためのスピーカ格子（３３）及び前記マイクに音声を入力するためのマイク格子（３２）を有し、前記スピーカ格子及び前記マイク格子の格子下部には、格子に付着した水滴を筐体外に排出するテーパー部（３３ａ、３２ａ）を有し、前記スピーカ格子及び前記マイク格子並びに前記テーパー部の格子側面に前記コーティング層を有することを特徴とする請求項１乃至請求項４何れか１項記載のインターホン装置。
【請求項６】
前記コーティング層は、下層（４ａ）と上層（４ｂ）の２層で形成し、前記下層はペルオキソチタン酸水溶液を塗布し、前記上層はペルオキソチタン酸水溶液及びペルオキソチタン改質アナターゼゾルとともに保水性物質を混合することを特徴とする請求項１乃至請求項５何れか１項記載のインターホン装置。
【発明の詳細な説明】
【技術分野】
【０００１】
本発明は、インターホン装置に関し、特に、住宅の玄関、即ち屋外に設置されるインターホン子機にコーティング層を形成して防汚性を強化するとともに、インターホン子機表面に親水性をもたせてマイク格子、スピーカ格子の水の排水を容易にしてハウリングを防止するインターホン装置に係わる。
【背景技術】
【０００２】
従来から、この種のインターホン装置として、住宅の玄関、即ち屋外に設置され水滴防止、防水構造に優れたインターホン子機が提案されている（例えば、特許文献１−特許文献２参照）。
【０００３】
【特許文献１】第３０３７３４９号登録実用新案公報
【特許文献２】特開２００１−１７７６１６公報
【発明の開示】
【発明が解決しようとする課題】
【０００４】
しかしながら、これらのインターホン装置において、インターホン子機は水滴防止、防水構造が優れているものの、汚れが落ちにくく、経年劣化により外装部の見栄えが悪くなるとともに、カメラ付インターホン子機においてはカメラカバー部の汚れにより映像品質が低下していた。また、インターホン子機の形状は音響を通過させることと水の侵入を防止することという２つの相反する機能を必要とするために複雑になり、水滴防止、防水構造が災いしてマイク格子、スピーカ格子に水が溜まり、ハウリングの原因となっていた。
【０００５】
本発明は、上述の難点を解消するためになされたもので、住宅の玄関、即ち屋外に設置されるインターホン子機にコーティング層を形成して防汚性を強化するとともに、インターホン子機表面に親水性をもたせてマイク格子、スピーカ格子の水の排水を容易にしてハウリングを防止するインターホン装置を提供することを目的としている。
【課題を解決するための手段】
【０００６】
上述の目的を達成するため、本発明のインターホン装置は、住宅の玄関に設置されカメラ、子機マイク及び子機スピーカを有するインターホン子機と、住宅の室内に設置されインターホン子機からの呼び出しに応答して通話を成立させるための親機マイクおよび親機スピーカ、カメラにて撮像された映像を出画するためのモニタを有するインターホン親機とを備え、インターホン子機は、表面にコーティング層を有する外装部が樹脂で構成され、コーティング層は、ペルオキソチタン酸水溶液及びペルオキソチタン改質アナターゼゾルから選ばれた１種以上を外装部の表面に成膜し、乾燥させて成る。
【０００７】
また、本発明のインターホン装置において、コーティング層は、粉末二酸化チタン及び／又は二酸化チタンゾルを含有する。
【０００８】
また、本発明のインターホン装置おいて、コーティング層は、ペルオキソチタン酸水溶液、ペルオキソチタン改質アナターゼゾルとともにシリカ等の保水性物質を混合するものである。
【０００９】
また、本発明のインターホン装置において、外装部の一部を透明または半透明の樹脂により構成してカメラを覆うためのカメラカバーとして機能させるものである。
【００１０】
また、本発明のインターホン装置おいて、外装部は、子機スピーカから音声を放音させるためのスピーカ格子及びマイクに音声を入力するためのマイク格子を有し、スピーカ格子及びマイク格子の格子下部には、格子に付着した水滴を筐体外に排出するテーパー部を有し、スピーカ格子及びマイク格子並びにテーパー部の格子側面にコーティング層を有する。
【００１１】
また、本発明のインターホン装置において、コーティング層は、下層と上層の２層で形成し、下層はペルオキソチタン酸水溶液を塗布し、上層はペルオキソチタン酸水溶液及びペルオキソチタン改質アナターゼゾルとともに保水性物質を混合する。
【発明の効果】
【００１２】
本発明のインターホン装置によれば、住宅の玄関に設置されカメラ、子機マイク及び子機スピーカを有するインターホン子機と、住宅の室内に設置されインターホン子機からの呼び出しに応答して通話を成立させるための親機マイクおよび親機スピーカ、カメラにて撮像された映像を出画するためのモニタを有するインターホン親機とを備え、インターホン子機は、表面にコーティング層を有する外装部が樹脂で構成され、コーティング層は、ペルオキソチタン酸水溶液及びペルオキソチタン改質アナターゼゾルから選ばれた１種以上を外装部の表面に成膜し、乾燥させて成ることによって、防汚性を強化することができ、インターホン子機をいつまでも美麗に保つことができる。
【００１３】
また、本発明のインターホン装置によれば、コーティング層は、粉末二酸化チタン及び／又は二酸化チタンゾルを含有させることにより防汚性をさらに向上させることができる。
【００１４】
また、本発明のインターホン装置によれば、コーティング層は、ペルオキソチタン酸水溶液、ペルオキソチタン改質アナターゼゾルとともにシリカ等の保水性物質を混合することにより、コーティング層に保水性物質を混合したことにより、親水性を強化することができ、インターホン子機のハウリングを防止することができる。
【００１５】
また、本発明のインターホン装置によれば、外装部の一部を透明または半透明の樹脂により構成してカメラを覆うためのカメラカバーとして機能させることにより、カメラ付インターホン子機の映像品質の低下を防止することができる。
【００１６】
また、本発明のインターホン装置によれば、外装部は、子機スピーカから音声を放音させるためのスピーカ格子及びマイクに音声を入力するためのマイク格子を有し、スピーカ格子及びマイク格子の格子下部には、格子に付着した水滴を筐体外に排出するテーパー部を有し、スピーカ格子及びマイク格子並びにテーパー部の格子側面にコーティング層を有することにより、スピーカ格子及びマイク格子の格子幅は狭くなっていても、コーティング層を有することによって、親水性を強化して水滴の付着を防止し、水を自重で格子下部に誘導し、格子下部のテーパー部によって水滴を筐体外に排出するため、インターホン子機のハウリングを防止することができる。
【００１７】
また、本発明のインターホン装置によれば、コーティング層を２層とし、下層はペルオキソチタン酸水溶液を塗布し、上層はペルオキソチタン酸水溶液及びペルオキソチタン改質アナターゼゾルとともに保水性物質を混合することにより、下層はペルオキソチタン酸水溶液を塗布し、ペルオキソチタン改質アナターゼゾルを使用しないので、ペルオキソチタン改質アナターゼゾルが樹脂と接触することによる樹脂劣化を防止することができる。
【発明を実施するための最良の形態】
【００１８】
以下、本発明のインターホン装置をその好ましい実施の形態例について図面を参照して説明する。
【００１９】
図１に示すように、インターホン装置は、住宅の玄関に設置されるインターホン子機１と、住宅の室内に設置されインターホン子機１からの呼出に応答して通話を成立させるためのインターホン親機２とを備えている。インターホン子機１とインターホン親機２は伝送ラインＬを介して接続されている。
【００２０】
インターホン子機１には、来訪者を撮像するカメラ１１、通話を行なう子機マイク１２、子機スピーカ１３、呼出を行なう呼出ボタン１４が設けられている。
【００２１】
インターホン親機２には、カメラ１１で撮像された来客の映像を出画するモニタ２１、通話を行なう親機マイク２２、親機スピーカ２３、通話を開始させる通話スイッチ２４が設けられている。
【００２２】
このようなインターホン装置によれば、玄関でインターホン子機１の前に立つ来客が呼出ボタン１４を押下操作すれば、呼出音がインターホン親機２で親機スピーカ２３から鳴動するとともに、カメラ１１で撮像された来客の映像がモニタ２１に出画される。
【００２３】
出画されている来客の映像を視認し、呼出に応答してインターホン親機２で通話スイッチ２４を操作すれば、インターホン子機１の子機マイク１２、子機スピーカ１３とインターホン親機２の親機マイク２２、親機スピーカ２３とで通話を行なうことができる。
【００２４】
次に、図２（ａ）、（ｂ）、図３（ａ）、（ｂ）を参照して、インターホン子機１の外観及び筐体構成について説明すると、インターホン子機１の筐体は、上ケース１５、下ケース１６から構成されている。また、インターホン子機１を住宅の玄関の壁等に取付けるための取付台１７が設けられている。
【００２５】
上ケース１５には、カメラカバー１０が設けられ、その内部にカメラ１１が子機マイク１２、子機スピーカ１３、呼出ボタン１４の部品、電子回路等とともに基板上に装着され、上ケース１５、下ケース１６内に収納されている。
【００２６】
インターホン子機１は、樹脂で構成される外装部３、即ち上ケース１５、カメラカバー１０を有している。
【００２７】
インターホン子機は、表面にコーティング層４を有する外装部３、即ち上ケース１５、カメラカバー１０が樹脂で構成され、コーティング層は、ペルオキソチタン酸水溶液及びペルオキソチタン改質アナターゼゾルから選ばれた１種以上を外装部の表面に成膜し、乾燥させて成る。即ち、外装部３の表面には、塗布・形成されるコーティング層４はペルオキソチタン酸水溶液若しくはペルオキソチタン改質アナターゼゾル又は両者の混合物が成膜され、乾燥させて成るものである。
【００２８】
また、本発明のインターホン装置において、コーティング層は、粉末二酸化チタン及び／又は二酸化チタンゾルを含有する。この場合、防汚性をさらに向上させることができる。
【００２９】
また、本発明のインターホン装置おいて、コーティング層は、ペルオキソチタン酸水溶液、ペルオキソチタン改質アナターゼゾルとともにシリカ等の保水性物質を混合してもよい。この場合、コーティング層に保水性物質を混合したことにより、親水性を強化することができ、インターホン子機のハウリングを防止することができる。
【００３０】
また、より好ましい形態例として、本発明のインターホン装置において、コーティング層４は、下層４ａと上層４ｂの２層で形成し、下層４ａはペルオキソチタン酸水溶液を塗布し、上層４ｂはペルオキソチタン酸水溶液及びペルオキソチタン改質アナターゼゾルとともに保水性物質が混合される。
【００３１】
ケース上２１及びカメラカバー２６の表面には下層コーティング層３１と上層コーティング層３２が０．４μｍの厚みで構成されている。
【００３２】
下層４ａは、ペルオキソチタン酸水溶液を外装部３の表面に被膜および乾燥させて構成されており、上ケース１５の樹脂と親和性があり、また上ケース１５の樹脂を傷めることがない。ペルオキソチタン酸水溶液はチタン分濃度（固形分濃度）が０．４〜２．０％のものが使用される。０．４％未満では成膜性が悪くなり、２．０％を越えると蜂蜜状に粘性が高くコーティング剤として不向きであり、いずれも好ましくない。
【００３３】
上層４ｂは、置換基を有するペルオキソチタン改質アナターゼゾルで構成されており、光触媒による強力な防汚性、親水性を備えている。
【００３４】
ペルオキソチタン改質アナターゼゾルは二酸化チタン分濃度（固形分濃度）が０．４〜３．０％のものが使用される。０．４％未満では集積性が粗くなり、３．０％を超えると積層膜が脆くなり易く、いずれも好ましくない。
【００３５】
また、本発明のインターホン装置において、外装部３の一部を透明または半透明の樹脂により構成してカメラ１１を覆うためのカメラカバー１０として機能させるものである。このような機能により、カメラ付インターホン子機１の映像品質の低下を防止することができる。
【００３６】
外装部３である上ケース１５及びカメラカバー１０は、屋外で常に日光に当たっており、上ケース１５及びカメラカバー１０に直接紫外線があたると紫外線の影響で樹脂が劣化するとともに屋外のホコリ等で汚れがつきやすいが、上層４ｂの二酸化チタンにより、劣化速度を低下させるとともに、汚れも落ちやすくなるため、美しい外観を保つとともに、常に快適な映像を撮像することができる。
【００３７】
また、本発明のインターホン装置おいて、外装部３は、スピーカ１３から音声を放音させるためのスピーカ格子３３及び子機マイク１２に音声を入力するためのマイク格子３２を有し、スピーカ格子３３及びマイク格子３２の格子下部には、格子３２、３３に付着した水滴を筐体外に排出するテーパー部３３ａ、３２ａを有し、スピーカ格子３３及びマイク格子３２並びにテーパー部３３ａ、３２ａの格子側面にコーティング層４を有する。このような手法をとることにより、スピーカ格子３３及びマイク格子３２の格子幅は狭くなっていても、コーティング層４を有することによって、親水性を強化して水滴の付着を防止し、水を自重で格子下部に誘導し、格子下部のテーパー部３３ａ、３２ａによって水滴を筐体外に排出するため、インターホン装置のハウリングを防止することができる。
【００３８】
上記したように、子機マイク１２、子機スピーカ１３の音響を良好に送受するために、上ケース１５には多くの溝状の格子を有し、子機スピーカ１３の音響を送受するスピーカ格子３３、子機マイク１２の音響を送受するマイク格子３２に分けられる。これらの格子３２、３３は、水滴の直接透過を防ぐため、格子幅は約２ｍｍと狭くなっており、最大の格子幅でも２．５ｍｍである。
【００３９】
スピーカ格子３３、マイク格子３２の側面部にも下層３１とコーティング層４として下層４ａと上層４ｂが０．１〜０．２μｍの厚みで構成されている。
【００４０】
ところで、雨天時に上ケースに直接雨水があたると、雨水が子機マイク１２、子機スピーカ１３の前方のスピーカ格子３３、マイク格子３２に付着するが、上層４ｂの二酸化チタンにより、接触角が２０度以下に小さくなり、スピーカ格子３３、マイク格子３２に雨水が溜まることはなく、雨水の自重により格子上を落下し、それぞれの格子下部にあるテーパー部３３ａ、３２ａによって雨水は筐体外へと排出される。
【産業上の利用可能性】
【００４１】
以上の実施例において、本発明ではインターホン子機としてカメラ付きを用いたものを示したが、カメラ無し、つまりカメラカバーとカメラを不備のインターホン子機でも外装部全体にコーティング層を適用することによって同様の効果を奏する。
【００４２】
また、以上の実施例において、本発明ではインターホン親機、インターホン子機はそれぞれ１台となっているが、複数の親機や、複数の子機であっても同様に適用できる。
【図面の簡単な説明】
【００４３】
【図１】本発明の実施例によるインターホン装置を示すブロック図である。
【図２】（ａ）は本発明の実施例によるインターホン装置を示す概観構成図、（ｂ）はインターホン子機の外装部の構成説明図である。
【図３】（ａ）は本発明の実施例によるインターホン子機のマイク格子に沿う縦断面図、（ｂ）はインターホン子機のスピーカ格子に沿う縦断面図である。
【符号の説明】
【００４４】
１・・・インターホン子機
３・・・外装部
４・・・コーティング層
４ａ・・・下層
４ｂ・・・上層
１０・・・カメラカバー
１１・・・カメラ
１２・・・子機マイク
１３・・・子機スピーカ
３２・・・マイク格子
３３・・・スピーカ格子
３３ａ、３２ａ・・・テーパー部
２・・・インターホン親機
２１・・・モニタ
２２・・・親機マイク
２３・・・親機スピーカ
【図１】
2008211347.tif 000003
【図２】
2008211347.tif 000004
【図３】
2008211347.tif 000005